(57)【要約】  記録メディア２Ａは、記録メディア２ＡのアンテナＡ２１と、情報処理端末装置１のアンテナＡ５とを介して、情報処理端末装置１に無線接続される。記録メディア２Ｂは、記録メディア２ＢのアンテナＡ２１と、情報処理端末装置１のアンテナＡ１とを介して、情報処理端末装置１に無線接続される。記録メディア２Ａの情報処理端末装置１への接続位置であるアンテナＡ５の近傍の位置から、記録メディア２Ａがデータを格納していないことを示す吹き出しウィンドウ２００Ａ内が表示され、記録メディア２Ｂの情報処理端末装置１への接続位置であるアンテナＡ１の近傍の位置から、記録メディア２Ｂ内のデータのリストを示す吹き出しウィンドウ２００Ｂが表示される。
2014073137.tif 000002
【特許請求の範囲】
【請求項１】
所定の情報を表示する表示手段を備えた情報処理端末装置において、
上記情報処理端末装置の所定の接続位置に周辺機器が接続されたとき、上記周辺機器と関連付けて表示するウィンドウを、上記表示手段に表示するように制御する制御手段を備えたことを特徴とする情報処理端末装置。
【請求項２】
上記ウィンドウは、上記表示手段における上記接続位置又はその近傍の位置から吹き出し表示することを特徴とする請求項１記載の情報処理端末装置。
【請求項３】
上記ウィンドウは、上記周辺機器と一部重ねて表示するか、もしくは上記周辺機器と接触して表示することを特徴とする請求項１又は２記載の情報処理端末装置。
【請求項４】
上記制御手段は、上記ウィンドウ内に、上記周辺機器に関連する情報を表示することを特徴とする請求項１から３までのうちのいずれか１つに記載の情報処理端末装置。
【請求項５】
上記情報処理端末装置は、上記表示手段のおもて面に透明導電膜によって形成された少なくとも１つの第１のアンテナをさらに備え、
上記周辺機器は第２のアンテナを備え、
上記制御手段は、
上記第２のアンテナが、上記少なくとも１つの第１のアンテナのうちの１つのアンテナに対向して上記周辺機器が上記情報処理端末装置に無線接続されたとき、上記１つのアンテナの位置を上記接続位置として取得することを特徴とする請求項１から４までのうちのいずれか１つに記載の情報処理端末装置。
【請求項６】
上記情報処理端末装置は、上記周辺機器の位置を検出する検出手段をさらに備え、
上記制御手段は、上記検出手段によって検出された上記周辺機器の位置を、上記接続位置として取得することを特徴とする請求項１から４までのうちのいずれか１つに記載の情報処理端末装置。
【請求項７】
上記制御手段は、上記情報処理端末装置の複数の所定の接続位置に複数の周辺機器がそれぞれ接続されたとき、上記複数の周辺機器の種別、接続位置及び接続順序のうちの少なくとも１つに基づいて、上記各周辺機器と関連付けて表示するウィンドウの表示方法を変更することを特徴とする請求項１から６までのうちのいずれか１つに記載の情報処理端末装置。
【請求項８】
上記制御手段は、上記情報処理端末装置の複数の所定の接続位置に複数の周辺機器がそれぞれ接続されたとき、上記複数の周辺機器の種別、接続位置及び接続順序のうちの少なくとも１つに基づいて、所定の処理を実行することを特徴とする請求項１から７までのうちのいずれか１つに記載の情報処理端末装置。
【請求項９】
所定の情報を表示する表示手段を備えた情報処理端末装置の制御手段によって実行される制御方法において、
上記情報処理端末装置の所定の接続位置に周辺機器が接続されたとき、上記周辺機器と関連付けて表示するウィンドウを、上記表示手段に表示するように制御するステップを含むことを特徴とする情報処理端末装置の制御方法。
【請求項１０】
請求項９記載の情報処理端末装置の制御方法における各ステップを含むことを特徴とするプログラム。
【発明の詳細な説明】
【技術分野】
【０００１】
本開示は、タブレット端末などの情報処理端末装置及びその制御方法と、当該制御方法における各ステップを含むプログラムとに関する。
【背景技術】
【０００２】
近年、タブレット端末及びスマートフォンに代表される携帯型の情報処理端末装置が普及している。携帯型の情報処理端末装置に対しては、小型化、薄型化、防水性の向上及びデザイン性の向上がユーザから求められている。その結果、情報処理端末装置の外観は、実質的にディスプレイがあるだけの状態に近づいており、このディスプレイ上のタッチパネルにユーザがタッチして情報処理端末装置を操作する。【０００３】
ユーザは、このような情報処理端末装置と周辺機器との間でデータ通信を行うとき、情報処理端末装置のディスプレイに表示される周辺機器のアイコンなどのグラフィックユーザインタフェースを用いることが多い。例えば、記録メディアである周辺機器が有線又は無線で情報処理端末装置に接続されると、ディスプレイ上に記録メディアを表す絵のアイコンが表示され、ユーザは、情報処理端末装置内のデータを表すアイコンを、周辺機器を表すアイコンにドラッグしドロップすることにより、データを周辺機器に出力する。このように、周辺機器が記録メディアである場合は、ユーザは直感的に理解しやすい操作でデータを記録メディアに出力できる。【０００４】
しかしながら、例えば、周辺機器がプロジェクタ装置である場合、一般に、プロジェクタ装置に対応するアイコンは情報処理端末装置のディスプレイに表示されないので、ユーザは情報処理端末装置を用いてプロジェクタ装置を直感的には操作できない。また、２つの記録メディアを同時に情報処理端末装置に接続すると、一般に、情報処理端末装置のディスプレイに、２つの同一のアイコンが表示されるので見分けがつかない。【０００５】
ディスプレイに表示されるアイコンと、マウス又はタッチパネルなどの入力装置とをあわせて用いるグラフィックユーザインタフェース以外にも、物理的なタイル又はタグを利用するタンジブルユーザインタフェースのような新しいインタフェースが提案されている（特許文献１及び２参照。）。例えば、特許文献１には、複数のタイルを情報処理端末装置のディスプレイ上に配置して情報処理端末装置を操作する方法が記載されている。例えば、ディスプレイ上にプリンタを表すタイルを配置し、そのタイルの隣に画像データを表すタイルを配置し、ユーザが画像データを表すタイルを、プリンタを表すタイルへデータに向けて移動すると画像データをプリンタで印刷する。このように、グラフィックユーザインタフェースに物理的なタイル又はタを組み合わせたタンジブルユーザインタフェースは、従来技術に係るグラフィックユーザインタフェースよりも直感的に操作ができるという利点を有する。
【先行技術文献】
【特許文献】
【０００６】
【特許文献１】特開２００２−１３２４４６号公報
【特許文献２】特開２００７−２６１２１号公報
【発明の概要】
【発明が解決しようとする課題】
【０００７】
上述したグラフィックユーザインタフェースの場合、周辺機器は仮想的なアイコンとしてディスプレイに表示されるので、ユーザは、情報処理端末装置に接続された周辺機器を頭の中でディスプレイ上のアイコンに置き換えて操作を行う必要がある。また、特許文献１及び２記載のタンジブルユーザインタフェースの場合、周辺機器は物理タグ又はタイルに対応づけられるので、ユーザは、周辺機器を頭の中で物理タグ又はタイルに置き換えて操作を行う必要がある。以上説明したように、従来は、ユーザは、実際の周辺機器を画面上の仮想的なアイコン、物理タグ又はタイルに対応づける必要があった。従って、情報処理端末装置の操作性が悪くなる場合があった。【０００８】
本開示の目的は以上の問題点を解決し、情報処理端末装置に接続された周辺機器を従来技術に比較して直感的に操作できる情報処理端末装置及びその制御方法と、当該制御方法における各ステップを含むプログラムとを提供することにある。
【課題を解決するための手段】
【０００９】
本開示の一態様である情報処理端末装置は、所定の情報を表示する表示手段を備えた情報処理端末装置において、上記情報処理端末装置の所定の接続位置に周辺機器が接続されたとき、上記周辺機器と関連付けて表示するウィンドウを、上記表示手段に表示するように制御する制御手段を備えたことを特徴とする。【００１０】
なお、これらの概括的かつ特定の態様は、システム、方法、コンピュータプログラム並びにシステム、方法及びコンピュータの任意の組合せにより実現してもよい。
【発明の効果】
【００１１】
上記構成によれば、情報処理端末装置の所定の接続位置に周辺機器が接続されたとき、表示手段における接続位置又はその近傍の位置から、吹き出し表示する吹き出しウィンドウを、表示手段に表示するので、ユーザは、情報処理端末装置に接続された周辺機器を従来技術に比較して直感的に操作できる。
【図面の簡単な説明】
【００１２】
【図１】本開示の第１の実施形態に係る情報処理端末装置１と、記録メディア２Ａ及び２Ｂとを示す平面図である。
【図２】図１の情報処理端末装置１並びに記録メディア２Ａ及び２Ｂの各構成を示すブロック図である。
【図３】図１のアンテナＡ１を横切る部分断面図である。
【図４】図２のメインプロセッサ１１によって実行される吹き出しウィンドウ表示処理を示すフローチャートである。
【図５】図１の情報処理端末装置１に記録メディア２Ａ及び２Ｂが無線接続されたときに液晶パネル３１に表示される吹き出しウィンドウ２００Ａ及び２００Ｂの第１の例を示す平面図である。
【図６】図１の情報処理端末装置１に記録メディア２Ａ及び２Ｂが無線接続されたときに液晶パネル３１に表示される吹き出しウィンドウ２００Ａ及び２００Ｂの第２の例を示す平面図である。
【図７】図１の情報処理端末装置１に記録メディア２Ａ及び２Ｂが無線接続されたときに液晶パネル３１に表示される吹き出しウィンドウ２００Ａ及び２００Ｂの第３の例を示す平面図である。
【図８】図１の情報処理端末装置１に記録メディア２Ａ及び２Ｂが無線接続されたときに液晶パネル３１に表示される吹き出しウィンドウ２００Ａ及び２００Ｂの第４の例を示す平面図である。
【図９】図１の情報処理端末装置１にカメラ２Ｃが無線接続されたときに液晶パネル３１に表示される吹き出しウィンドウ２００Ｃを示す平面図である。
【図１０】図１の情報処理端末装置１にカメラ２Ｄが無線接続されたときに液晶パネル３１に表示される吹き出しウィンドウ２００Ｄを示す平面図である。
【図１１】図１の情報処理端末装置１にスピーカ２Ｅが無線接続されたときに液晶パネル３１に表示される吹き出しウィンドウ２００Ｅを示す平面図である。
【図１２】図１の情報処理端末装置１にキーボード２Ｆが無線接続されたときに液晶パネル３１に表示される吹き出しウィンドウ２００Ｆを示す平面図である。
【図１３】図１の情報処理端末装置１にＨＤＭＩ（登録商標）コネクタ２Ｇ及びＤＳＵＢコネクタ２Ｇが無線接続されたときに液晶パネル３１に表示される吹き出しウィンドウ２００Ｇ及び２００Ｈを示す平面図である。
【図１４】図１３において情報処理端末装置１内のデータをＨＤＭＩ（登録商標）コネクタ２Ｇから出力するときのユーザのフリック操作を示す平面図である。
【図１５】図１の情報処理端末装置１に無線ＬＡＮアダプタ２Ｉが無線接続されたときに液晶パネル３１に表示される吹き出しウィンドウ２００Ｉを示す平面図である。
【図１６】図１の情報処理端末装置１にプリンタ２Ｊが無線接続されたときに液晶パネル３１に表示される吹き出しウィンドウ２００Ｊを示す平面図である。
【図１７】本開示の第１の実施形態の変形例に係る情報処理端末装置１による記録メディア２Ｂの接続位置の検出方法を示す平面図である。
【図１８】図２のメインプロセッサ１１によって実行される本開示の第２の実施形態に係るデータコピー処理を示すフローチャートである。
【図１９】図１８のステップＳ１４において液晶パネル３１に表示される吹き出しウィンドウ２００Ａの一例を示す平面図である。
【図２０】図１８のステップＳ１９において液晶パネル３１に表示される吹き出しウィンドウ２００Ｂの一例を示す平面図である。
【図２１】図１８のステップＳ２１において液晶パネル３１に表示されるテキストメッセージ２０１の一例を示す平面図である。
【図２２】図２のメインプロセッサ１１によって実行される本開示の第３の実施形態に係るデータコピー処理を示すフローチャートである。
【図２３】図２２のステップＳ３１において液晶パネル３１に表示されるテキストメッセージ２０２並びにボタン２０３及び２０４の一例を示す平面図である。
【図２４】図２２のステップＳ３１において液晶パネル３１に表示されるテキストメッセージ２０２並びにボタン２０３及び２０４の他の例を示す平面図である。
【図２５】図２のメインプロセッサ１１によって実行される本開示の第４の実施形態に係るデータコピー処理を示すフローチャートである。
【図２６】図２５のステップＳ４０において液晶パネル３１に表示される吹き出しウィンドウ３０１及び矢印３０２の一例を示す平面図である。
【図２７Ａ】例えば図５などの吹き出しウィンドウ２００Ｂの吹き出しの別の表示方法を示す平面図である。
【図２７Ｂ】例えば図５などの吹き出しウィンドウ２００Ｂの吹き出しの別の表示方法を示す平面図である。
【図２７Ｃ】例えば図５などの吹き出しウィンドウ２００Ｂの吹き出しの別の表示方法を示す平面図である。
【図２７Ｄ】例えば図５などの吹き出しウィンドウ２００Ｂの吹き出しの別の表示方法を示す平面図である。
【図２７Ｅ】例えば図５などの吹き出しウィンドウ２００Ｂの吹き出しの別の表示方法を示す平面図である。
【図２７Ｆ】例えば図５などの吹き出しウィンドウ２００Ｂの吹き出しの別の表示方法を示す平面図である。
【図２８Ａ】例えば図５などの吹き出しウィンドウ２００Ｂが記録メディア２Ｂの接続位置の近傍の位置から表示するときの当該「近傍」について説明するための平面図である。
【図２８Ｂ】図２８Ａの吹き出しウィンドウ２００Ｂが記録メディア２Ｂの接続位置の近傍以外の位置から吹き出す例を示す平面図である。
【図２９Ａ】図５の吹き出しウィンドウ２００Ａが吹き出す位置について説明するための平面図である。
【図２９Ｂ】図５の吹き出しウィンドウ２００Ａが吹き出す位置について説明するための平面図である。
【図２９Ｃ】図５の吹き出しウィンドウ２００Ａが吹き出す位置について説明するための平面図である。
【発明を実施するための形態】
【００１３】
以下、本開示に係る実施形態について図面を参照して説明する。なお、以下の各実施形態において、同様の構成要素については同一の符号を付している。
【００１４】
第１の実施形態．
図１は、本開示の第１の実施形態に係る情報処理端末装置１と、記録メディア（周辺機器）２Ａ及び２Ｂとを示す平面図であり、図２は、図１の情報処理端末装置１並びに記録メディア２Ａ及び２Ｂの各構成を示すブロック図である。図１において、本実施形態に係る情報処理端末装置１は、例えばタブレット端末であり、記録メディア２Ａは例えばメモリカードであり、記録メディア２Ｂは例えばＵＳＢ（Ｕｎｉｖｅｒｓａｌ  Ｓｅｒｉａｌ  Ｂｕｓ）メモリである。詳細後述するように、記録メディア２Ａ及び２Ｂは、それぞれ情報処理端末装置１に無線接続される。なお、記録メディア２Ａと２Ｂとは同様に構成され、以下、記録メディア２Ａ及び２Ｂを区別しない場合は、記録メディア２と記載する。
【００１５】
図２において、情報処理端末装置１は、ＣＰＵ（Ｃｅｎｔｒａｌ  Ｐｒｏｃｅｓｓｉｎｇ  Ｕｎｉｔ）にてなるメインプロセッサ（制御手段）１１と、不揮発メモリにてなるＳＳＤ（Ｓｏｌｉｄ  Ｓｔａｔｅ  Ｄｒｉｖｅ）１２と、ＤＲＡＭ（Ｄｙｎａｍｉｃ  Ｒａｎｄｏｍ  Ａｃｃｅｓｓ  Ｍｅｍｏｒｙ）にてなる主記憶装置１３と、液晶パネル（表示手段）３１と、液晶パネル３１を駆動するパネルドライバ１４と、ジャイロセンサ１５と、タッチパネル３２と、タッチパネル３２におけるタッチ位置を検出するタッチセンサ１６と、ベースバンドプロセッサ１７と、近接無線通信モジュール１８−１〜１８−１０と、撮像素子１９と、スピーカ３４と、発光素子３５と、バス１０と、送受信用のアンテナコイル（以下、アンテナという。）Ａ１〜Ａ１０とを備えて構成される。また、近接無線通信モジュール１８−ｎ（ｎ＝１，２，…，１０）はそれぞれ、通信制御回路１８１と、アンテナＡｎ（ｎ＝１，２，…，１０）を駆動する入出力回路１８２とを備えて構成される。
【００１６】
図２において、メインプロセッサ１１は、バス１０を介して他のハードウェア各部１２〜１７、１８−１〜１８−１０、１９、３４及び３５と接続されていてそれらを制御するほか、種々のソフトウェアの機能を実行する。不揮発メモリ１２は、図４の吹き出しウィンドウ表示処理のプログラムなどの情報処理端末装置１の動作に必要であってメインプロセッサ１１によって実行される種々のソフトウェアのプログラムを予め格納する。また、主記憶装置１３は、メインプロセッサ１１のワーキングエリアとして使用されてプログラムの実行時に発生する一時的なデータを記憶する。
【００１７】
また、ベースバンドプロセッサ１７は、入力される送信データに対して通信プロトコル処理などの所定の処理を行い、この処理後のデータを近接無線通信モジュール１８−１〜１８−１０のうちメインプロセッサ１１によって選択された近接無線通信モジュールの通信制御回路１８１に出力する。また、ベースバンドプロセッサ１７は、近接無線通信モジュール１８−１〜１８−１０の通信制御回路１８１からの受信信号に含まれる受信データを抽出してメインプロセッサ１１に出力する。各近接無線通信モジュール１８−ｎ（ｎ＝１，２，…，１０）の通信制御回路１８１は、ベースバンドプロセッサ１７からの送信データに対して所定の符号化処理を実行し、符号化された送信データに従って所定の搬送波信号を無線信号に変調し、入出力回路１８２を介してアンテナＡｎ（ｎ＝１，２，…，１０）から無線送信する。また、各近接無線通信モジュール１８−１〜１８−１０の通信制御回路１８１は、アンテナＡｎ（ｎ＝１，２，…，１０）によって受信された無線信号を復調し、シリアル／パラレル変換してベースバンドプロセッサ１７に出力する。なお、情報処理端末装置１は送電用のアンテナ（図示せず）をさらに備え、所定の無線給電処理を実行することにより、記録メディア２に無線給電する。また、本実施形態では、送信データに従って搬送波信号を変調したが、本開示はこれに限られず、変調を行わずに送信データを直接伝送してもよい。
【００１８】
次に、図１及び図３を参照して、アンテナＡ１〜Ａ１０の配置位置を説明する。図３は、図１のアンテナＡ１を横切る部分断面図である。図１に示すように、液晶パネル３１は、情報処理端末装置１の上面と実質的に同一のサイズを有し、１０個のアンテナＡｎ（ｎ＝１，２，…，１０）は、液晶パネル３１上の１０個の各位置に形成される。ここで、アンテナＡ１〜Ａ１０は互いに同一の形状を有する。また、図３に示すように、各アンテナＡ１〜Ａ１０は、液晶パネル３１のおもて面に、酸化インジウムスズ（ＩＴＯ）又はポリエチレンジオキシチオフェン（ＰＥＤＯＴ）などを用いて透明導電膜の導電パターンとして形成される。さらに、タッチパネル３２は、各アンテナＡ１〜Ａ１０の上に設けられ、タッチパネル３２の上面にガラス又は樹脂にてなる保護膜３３が形成される。
【００１９】
一方、図２において、記録メディア２は、システム制御回路２１と、ＮＡＮＤ型フラッシュメモリにてなる不揮発メモリ２２と、近接無線通信モジュール２３と、電源回路２４と、送受信用のアンテナコイルであるアンテナＡ２１と、バス２０とを備えて構成される。また、近接無線通信モジュール２３は、通信制御回路２３１と、アンテナＡ２１を駆動する入出力回路２３２とを備えて構成される。
【００２０】
図２において、システム制御回路２１は、バス２０を介して他のハードウェア各部２２〜２４と接続されていてそれらを制御するほか、種々のソフトウェアの機能を実行する。不揮発メモリ２２は、記録メディア２の動作に必要であってシステム制御回路２１によって実行される種々のソフトウェアのプログラムを予め格納する。電源回路２４は受電用のアンテナ及び受電回路を備えて構成され、所定の無線給電処理を実行することにより、情報処理端末処理装置１の送電用のアンテナ（図示せず。）からの電力を受電する。そして、受電した電力により受電回路内のキャパシタを充電し、当該キャパシタから、システム制御回路２１と、不揮発メモリ２２と、近接無線通信モジュール２３とに給電する。
【００２１】
通信制御回路２３１は、システム制御回路２１からの送信データに対して所定の符号化処理を実行し、符号化された送信データを無線信号に変調し、入出力回路２３２を介してアンテナＡ２１から無線送信する。また、通信制御回路２３１は、アンテナＡ２１によって受信された無線信号を復調し、シリアル／パラレル変換してシステム制御回路２１に出力する。
【００２２】
また、アンテナＡ２１は、アンテナＡ１〜Ａ１０と同一の形状を有する。さらに、アンテナＡ２１は、アンテナＡ１〜Ａ１０に対向可能なように、記録メディア２内に配置される。
【００２３】
なお、図１及び以下の各図面において、アンテナＡ１〜Ａ１０のアンテナコイルをそれぞれ実線で示すが、これらのアンテナは透明導電膜で形成されているため、実際はユーザからは見えない。また、図１及び以下の各図面において、アンテナＡ２１、Ａ２２のアンテナコイルをそれぞれ実線で示すが、これらのアンテナは記録メディア２などの周辺機器の内部に設けられ、もしくは透明導電膜で形成されているため、実際はユーザからは見えない。
【００２４】
本実施形態において、情報処理端末装置１のアンテナＡ１〜Ａ１０のうちの１つのアンテナと、記録メディア２のアンテナＡ２１との間で近接無線通信を行う。２つのアンテナ間で、電磁波の波長以下の近距離の近傍電磁界を利用して近接無線通信を行うためには、２つのアンテナが互いに対向する必要がある。これは、電場及び磁場がアンテナからの距離の３乗に反比例して急激に小さくなるためである。アンテナＡ２１がアンテナＡ１〜Ａ１０のうちの１つのアンテナに対向しているとき、これらのアンテナ対は誘導結合して近接無線通信のための無線伝送路を形成する。このとき、一般に、１対のアンテナで実現できるデータ転送速度は、１Ｇｂｐｓ以上である。近接無線通信には、１組のアンテナを対向させるように位置合わせを行わなければ通信ができないという難点があるが、アンテナを対向させて無線伝送路を形成するだけで通信相手を特定でき、混信のない無線通信を実現できるという利点がある。このため、高い秘匿性を実現でき、コネクタとしての用途に向いている。
【００２５】
図４は、図２のメインプロセッサ１１によって実行される吹き出しウィンドウ表示処理を示すフローチャートである。図４のステップＳ１において、メインプロセッサ１１は、記録メディア２が情報処理端末装置１に近づき、情報処理端末装置１と記録メディア２との間で近接無線通信が可能になったか否かを判断する。具体的には、情報処理端末装置１と記録メディア２との間の通信エラーレートが所定のしきい値以下であるときに、報処理端末装置１と記録メディア２との間で近接無線通信が可能であると判断する一方、通信エラーレートがしきい値より大きいときに、報処理端末装置１と記録メディア２との間で近接無線通信が不可能であると判断する。ユーザがアンテナＡ１〜Ａ１０のうちの１つのアンテナの上に記録メディア２を重ねて置くと、アンテナＡ２１が当該１つのアンテナに対向するので、通信エラーレートがしきい値以下になり、ステップＳ１においてＹＥＳと判断される。ステップＳ１においてＹＥＳのときはステップＳ２に進む一方、ＮＯのときはステップＳ１の処理を繰り返して実行する。
【００２６】
ステップＳ２において、メインプロセッサ１１は、情報処理端末装置１と記録メディア２との間で近接無線通信を確立する。このとき、メインプロセッサ１１は、記録メディア２の種別などの記録メディア２に関する情報を取得する。次に、ステップＳ３において、メインプロセッサ１１は、アンテナＡ１〜Ａ１０のうち、記録メディア２のアンテナＡ２１に無線接続されたアンテナの位置を、記録メディア２の接続位置として取得する。さらに、ステップＳ４において、メインプロセッサ１１は、液晶パネル３１に、記録メディア２内のデータのファイル名のリストを吹き出し表示する吹き出しウィンドウ２００を、記録メディア２の接続位置の近傍の位置から表示して、ステップＳ１に戻る。すなわち、メインプロセッサ１１は、情報処理端末装置１の所定の接続位置に周辺機器が接続されたとき、周辺機器と関連付けて表示するウィンドウである吹き出しウィンドウ２００を、表示手段に表示するように制御する制御手段である。
【００２７】
従って、図４の吹き出しウィンドウ表示処理によれば、メインプロセッサ１１は、新たに記録メディア２が情報処理端末装置１に無線接続される毎に、当該記録メディア２の接続位置の近傍の位置から、吹き出し表示する吹き出しウィンドウ２００を液晶パネル３１に表示する。
【００２８】
図５は、図１の情報処理端末装置１に記録メディア２Ａ及び２Ｂが無線接続されたときに液晶パネル３１に表示される吹き出しウィンドウ２００Ａ及び２００Ｂの第１の例を示す平面図である。図５に示すように、記録メディア２ＡのアンテナＡ２１はアンテナＡ５に対向し、記録メディア２Ａは、記録メディア２ＡのアンテナＡ２１とアンテナＡ５とを介して情報処理端末装置１に無線接続されている。さらに、記録メディア２ＡのアンテナＡ２１の接続位置であるアンテナＡ５の位置の近傍の位置から、吹き出しウィンドウ２００Ａが表示されている。ここで、記録メディア２Ａ内にはデータが格納されていないので、吹き出しウィンドウ２００Ａ内には「ブランクメディアです。」というメッセージが表示されている。
【００２９】
一方、記録メディア２ＢのアンテナＡ２１はアンテナＡ１に対向し、記録メディア２Ｂは、記録メディア２ＢのアンテナＡ２１とアンテナＡ１とを介して情報処理端末装置１に無線接続されている。さらに、記録メディア２ＡのアンテナＡ２１の接続位置であるアンテナＡ１の位置の近傍の位置から、吹き出しウィンドウ２００Ｂが表示されている。ここで、記録メディア２Ｂ内には「動画１」〜「動画９」というファイル名のデータが格納されているので、吹き出しウィンドウ２００Ｂ内には、「動画１」〜「動画９」のリストが表示されている。
【００３０】
図５において、ユーザが、情報処理端末装置１内のデータに対応するアイコンを吹き出しウィンドウ２００Ａ又は２００Ｂ内にドラッグしドロップすると、メインプロセッサ１１は、情報処理端末装置１内のデータを記録メディア２Ａ又は２Ｂ内にコピーする。また、ユーザが、吹き出しウィンドウ２００Ｂ内に表示されたファイル名を情報処理端末装置１内の不揮発メモリ１２を表すウィンドウ（図示せず）内にドラッグしドロップすると、メインプロセッサ１１は、当該ファイル名のデータを不揮発メモリ１２にコピーする。さらに、ユーザが、吹き出しウィンドウ２００Ｂ内に表示されたファイル名を吹き出しウィンドウ２００Ａ内にドラッグしドロップすると、メインプロセッサ１１は、当該ファイル名のデータを記録メディア２Ａの不揮発メモリ２２にコピーする。
【００３１】
従来は、複数の記録メディア２Ａ及び２Ｂが情報処理端末装置１に接続されているとき、記録メディア２Ａ及び２Ｂにそれぞれ対応する２つの同一のアイコンが表示されるため、記録メディア２Ａ及び２Ｂと２つのアイコンとの対応付けを誤りやすく、誤操作につながった。一方、本実施形態によれば、記録メディア２の接続位置の近傍の位置から吹き出しウィンドウ２００を表示するので、吹き出しウィンドウ２００は、実質的に、実際の記録メディア２の位置に表示される。すなわち、実際の記録メディア２そのものが従来のアイコンとして利用されるので、ユーザは仮想的なアイコンと記録メディア２との対応付けを行う必要が無く、記録メディア２を、従来技術に比較して直感的に操作できる。すなわち、情報処理端末装置１は、従来技術に係る情報処理端末装置に比較して高い操作性を有する。
【００３２】
本実施形態において、図５に示すように吹き出しウィンドウ２００Ａ及び２００Ｂを表示したが、本開示はこれに限られない。図６は、図１の情報処理端末装置１に記録メディア２Ａ及び２Ｂが無線接続されたときに液晶パネル３１に表示される吹き出しウィンドウ２００Ａ及び２００Ｂの第２の例を示す平面図である。図６において、記録メディア２Ａ内に格納されている「動画６」〜「動画９」というファイル名のデータのファイル名は、吹き出しウィンドウ２００Ａ内の吹き出しウィンドウ２００Ｂに近い各位置に表示されている。また、記録メディア２Ｂ内に格納されている「動画１」〜「動画５」というファイル名のデータのファイル名は、吹き出しウィンドウ２００Ｂ内の吹き出しウィンドウ２００Ａに近い各位置に表示されている。従って、図５に比較して、ユーザが、例えば、吹き出しウィンドウ２００Ｂ内に表示されたファイル名を吹き出しウィンドウ２００Ａ内にドラッグするときの距離が短くなりデータコピー時の操作性が向上する。
【００３３】
図７は、図１の情報処理端末装置１に記録メディア２Ａ及び２Ｂが無線接続されたときに液晶パネル３１に表示される吹き出しウィンドウ２００Ａ及び２００Ｂの第３の例を示す平面図である。図７において、吹き出しウィンドウ２００Ａを表示する前に、情報処理端末装置１内の画像データを表示するウィンドウ３００が表示されているので、吹き出しウィンドウ２００Ａは、ウィンドウ３００の外側に、吹き出しウィンドウ２００Ｂに隣接する位置を有するように変形されて表示される。また、記録メディア２Ａ内に格納されている「動画６」というファイル名のデータのファイル名は、吹き出しウィンドウ２００Ａ内の吹き出しウィンドウ２００Ｂに近い位置に表示されている。従って、図５に比較して、ユーザが、例えば、吹き出しウィンドウ２００Ａ内に表示されたファイル名を吹き出しウィンドウ２００Ｂ内にドラッグするときの距離が短くなりデータコピー時の操作性が向上する。
【００３４】
図８は、図１の情報処理端末装置１に記録メディア２Ａ及び２Ｂが無線接続されたときに液晶パネル３１に表示される吹き出しウィンドウ２００Ａ及び２００Ｂの第４の例を示す平面図である。図８において、記録メディア２Ａ内には２Ｇｂｙｔｅ以上のサイズを有する「動画１」〜「動画４」というファイル名のデータと、２Ｇｂｙｔｅ未満のサイズを有する「動画５」〜「動画８」というファイル名のデータとが格納されている。また、記録メディア２Ｂは２Ｇｂｙｔｅの空き容量を有し、データを格納していない。このとき、メインプロセッサ１１は、記録メディア２Ｂの空き容量と、記録メディア２Ａに格納されているデータの各サイズとに基づいて、記録メディア２Ｂにコピー可能な２Ｇｂｙｔｅ未満のサイズを有するデータを検索する。そして、検索されたデータ（図８の場合は「動画５」〜「動画８」というファイル名のデータ）のファイル名を、吹き出しウィンドウ２００Ａ内の吹き出しウィンドウ２００Ｂに近い各位置に表示する。従って、図５〜図８に比較して、ユーザが、例えば、吹き出しウィンドウ２００Ａ内に表示されたファイル名を吹き出しウィンドウ２００Ｂ内にドラッグするときの距離が短くなりデータコピー時の操作性が向上する。
【００３５】
なお、図８において、記録メディア２Ｂの空き容量と、記録メディア２Ａに格納されているデータの各サイズとに基づいて、記録メディア２Ａ内のデータのリストの表示方法を決定したが、本開示はこれに限られない。例えば、所定の判断基準に基づいて、記録メディア２Ａから記録メディア２Ｂにコピーされる可能性が高いデータを検索し、検索されたデータのファイル名を、吹き出しウィンドウ２００Ａ内の吹き出しウィンドウ２００Ｂに近い各位置に表示してもよい。この場合、例えば、記録メディア２Ｂ内に既に音楽データのみが格納されているときは、記録メディア２Ａ内の音楽データのファイル名を、吹き出しウィンドウ２００Ａ内の吹き出しウィンドウ２００Ｂに近い各位置に表示してもよい。また、図８において、吹き出しウィンドウ２００Ｂ内には何も表示されていないが、本開示はこれに限られず、「空き容量は２Ｇｂｙｔｅです」などの、記録メディア２Ｂの容量に関する情報を表示してもよい。
【００３６】
なお、図５〜図８において、吹き出しウィンドウ２００Ａ及び２００Ｂ内にデータのファイル名を表示したが、本開示はこれに限られず、吹き出しウィンドウ２００Ａ及び２００Ｂ内にデータのサムネイルを表示してもよい。
【００３７】
本実施形態において、記録メディア２Ａ及び２Ｂを情報処理端末装置１に無線接続したが、本開示はこれに限られない。記録メディア２Ａ及び２Ｂ以外の周辺機器を、情報処理端末装置１に有線又は無線で接続してもよい。
【００３８】
図９は、図１の情報処理端末装置１にカメラ（周辺機器）２Ｃが無線接続されたときに液晶パネル３１に表示される吹き出しウィンドウ２００Ｃを示す平面図である。図９において、情報処理端末装置１は、情報処理端末装置１の筐体内の左上端部に設けられたアンテナＡ１１をさらに備えて構成される。また、カメラ２Ｃは記録メディア２Ａ及び２Ｂと同様に、アンテナＡ２１を有し、アンテナＡ２１がアンテナＡ１１に対向するように、情報処理端末装置１に取り付けられる。このとき、カメラ２Ｃの裏面に設けられたカメラレンズ２Ｌは情報処理端末装置１に隠れない。図９において、メインプロセッサ１１は、カメラ２Ｃの接続位置であるアンテナＡ１１の位置から、吹き出しウィンドウ２００Ｃを表示する。また、吹き出しウィンドウ２００Ｃ内には、カメラ２Ｃによって撮影された画像が表示される。従って、ユーザは、吹き出しウィンドウ２００Ｃ内の画像がカメラ２Ｃによって撮影されていることを、従来技術に比較して容易に認識できる。
【００３９】
図１０は、図１の情報処理端末装置１にカメラ（周辺機器）２Ｄが無線接続されたときに液晶パネル３１に表示される吹き出しウィンドウ２００Ｄを示す平面図である。図１０において、カメラ２Ｄは、アンテナＡ２１を含む透明のアンテナシールＡＳ１を備えて構成される。アンテナシールＡＳ１は、アンテナＡ２１がアンテナＡ１に対向するように液晶パネル３１上の保護膜３３（図３参照）に貼り付けられる。このとき、カメラ２Ｄの裏面に設けられたカメラレンズ２Ｌは情報処理端末装置１に隠れない。図１０において、メインプロセッサ１１は、カメラ２Ｄの接続位置であるアンテナＡ１の位置から、吹き出しウィンドウ２００Ｄを表示する。また、吹き出しウィンドウ２００Ｄ内には、カメラ２Ｄによって撮影された画像が表示される。従って、ユーザは、吹き出しウィンドウ２００Ｄ内の画像がカメラ２Ｄによって撮影されていることを、従来技術に比較して容易に認識できる。
【００４０】
図１１は、図１の情報処理端末装置１にスピーカ（周辺機器）２Ｅが無線接続されたときに液晶パネル３１に表示される吹き出しウィンドウ２００Ｅを示す平面図である。図１１において、スピーカ２Ｅは、左スピーカに取り付けられた透明のアンテナシールＡＳ１と、右スピーカに取り付けられた透明のアンテナシールＡＳ２とを備えて構成される。また、アンテナシールＡＳ１内にアンテナＡ２１が形成され、アンテナシールＡＳ２内にアンテナＡ２２が形成される。アンテナシールＡＳ１は、アンテナＡ２１がアンテナＡ１に対向するように液晶パネル３１上の保護膜３３（図３参照）に貼り付けられ、アンテナシールＡＳ２は、アンテナＡ２２がアンテナＡ５に対向するように液晶パネル３１上の保護膜３３（に貼り付けられる。また、図１１において、メインプロセッサ１１は、スピーカ２Ｅの接続位置であるアンテナＡ１及びＡ５の各位置から、吹き出しウィンドウ２００Ｅを表示する。吹き出しウィンドウ２００Ｅには、スピーカ２Ｅから出力されている音声データの情報が表示される。
【００４１】
図１２は、図１の情報処理端末装置１にキーボード（周辺機器）２Ｆが無線接続されたときに液晶パネル３１に表示される吹き出しウィンドウ２００Ｆを示す平面図である。図１２において、キーボード２Ｆは、アンテナＡ２１を含むアンテナシールＡＳ１を備えて構成される。アンテナシールＡＳ１は、アンテナＡ２１がアンテナＡ６に対向するように液晶パネル３１上の保護膜３３（図３参照）に貼り付けられる。また、メインプロセッサ１１は、キーボード２Ｆの接続位置であるアンテナＡ６の位置から、吹き出しウィンドウ２００Ｆを表示する。例えば、テキストデータ作成用のアプリケーションソフトウェアを起動してキーボード２Ｆから文字入力されるデータは、吹き出しウィンドウ２００Ｆに表示される。また、キーボード２Ｆからの文字入力が行われていないウィンドウ４０１は、吹き出しウィンドウではない通常のウィンドウとして表示される。従って、ユーザは、従来技術に比較して、キーボード２Ｆを用いて文字入力を行っているウィンドウと、キーボード２Ｆとの間の対応関係を容易に認識できる。
【００４２】
図１３は、図１の情報処理端末装置１にＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）コネクタ（周辺機器）２Ｇ及びＤＳＵＢ（Ｄ−Ｓｕｂｍｉｎｉａｔｕｒｅ）コネクタ（周辺機器）２Ｇが無線接続されたときに液晶パネル３１に表示される吹き出しウィンドウ２００Ｇ及び２００Ｈを示す平面図である。図１３において、ＨＤＭＩ（登録商標）コネクタ２Ｇは、アンテナＡ２１を含むアンテナシールＡＳ１を備えて構成され、アンテナシールＡＳ１は、アンテナＡ２１がアンテナＡ１に対向するように液晶パネル３１上の保護膜３３（図３参照）に貼り付けられる。また、ＤＳＵＢコネクタ２Ｈは、アンテナＡ２１を含むアンテナシールＡＳ２を備えて構成され、アンテナシールＡＳ２は、アンテナＡ２１がアンテナＡ６に対向するように液晶パネル３１上の保護膜３３に貼り付けられる。また、メインプロセッサ１１は、ＨＤＭＩ（登録商標）コネクタ２Ｇの接続位置であるアンテナＡ１の位置から、吹き出しウィンドウ２００Ｇを表示するとともに、ＤＳＵＢコネクタ２Ｈの接続位置であるアンテナＡ６の位置から、吹き出しウィンドウ２００Ｈを表示する。そして、吹き出しウィンドウ２００Ｇ内には、情報処理端末装置１からＨＤＭＩ（登録商標）コネクタ２Ｇを介して出力される動画データが表示され、吹き出しウィンドウ２００Ｈ内には、情報処理端末装置１からＤＳＵＢコネクタ２Ｈを介して出力される動画データが表示される。従って、ユーザは、各コネクタ２Ｇ及び２Ｈから出力されている動画データを、従来技術に比較して容易に認識できる。
【００４３】
図１４は、図１３において情報処理端末装置１内のデータをＨＤＭＩ（登録商標）コネクタ２Ｇから出力するときのユーザのフリック操作を示す平面図である。図１４において、ウィンドウ４０２には、情報処理端末装置１内のデータのファイル名が表示されている。ユーザが、ウィンドウ４０２内のファイル名を吹き出しウィンドウ２００Ｇにフリックすると、メインプロセッサ１１は、当該ファイル名のデータを、ＨＤＭＩ（登録商標）コネクタ２Ｇを介して出力する。また、ユーザが、ウィンドウ４０２内のファイル名を吹き出しウィンドウ２００Ｈにフリックすると、メインプロセッサ１１は、当該ファイル名のデータを、ＤＳＵＢコネクタ２Ｈを介して出力する。従って、ユーザは、各コネクタ２Ｇ及び２Ｈから出力されている動画データを、従来技術に比較して容易に所望のコネクタ２Ｇ又は２Ｈを介して出力できる。
【００４４】
図１５は、図１の情報処理端末装置１に無線ＬＡＮ（Ｌｏｃａｌ  Ａｒｅａ  Ｎｅｔｗｏｒｋ）アダプタ（周辺機器）２Ｉが無線接続されたときに液晶パネル３１に表示される吹き出しウィンドウ２００Ｉを示す平面図である。図１５において、無線ＬＡＮアダプタ２Ｉは、アンテナＡ２１を含むアンテナシールＡＳ１を備えて構成され、アンテナシールＡＳ１は、アンテナＡ２１がアンテナＡ６に対向するように液晶パネル３１上の保護膜３３（図３参照）に貼り付けられる。また、メインプロセッサ１１は、無線ＬＡＮアダプタ２Ｉの接続位置であるアンテナＡ６の位置から、吹き出しウィンドウ２００Ｉを表示する。情報処理端末装置１は、無線ＬＡＮアダプタ２Ｉを介してインターネットに無線接続され、吹き出しウィンドウ２００Ｉには、ウェブページが表示される。なお、情報処理端末装置１内蔵の電話回線用インタフェースを介して取得されたデータは、吹き出しウィンドウではない通常のウィンドウ４０３に表示される。従って、ユーザは、吹き出しウィンドウ２００Ｉに表示されているウェブページが無線ＬＡＮアダプタ２Ｉを介して取得されていることを、従来技術に比較して容易に認識できる。
【００４５】
図１６は、図１の情報処理端末装置１にプリンタ（周辺機器）２Ｊが無線接続されたときに液晶パネル３１に表示される吹き出しウィンドウ２００Ｊを示す平面図である。図１６において、プリンタ２Ｊは、アンテナＡ２１を含むアンテナシールＡＳ１を備えたケーブル５００を介して情報処理端末装置１に無線接続される。アンテナシールＡＳ１は、アンテナＡ２１がアンテナＡ６に対向するように液晶パネル３１上の保護膜３３（図３参照）に貼り付けられる。また、メインプロセッサ１１は、ケーブル５００の接続位置であるアンテナＡ６の位置から、吹き出しウィンドウ２００Ｊを表示するとともに、情報処理端末装置１内の画像データをウィンドウ４０４〜４０６に表示する。さらに、メインプロセッサ１１は、吹き出しウィンドウ２００Ｊ内に、「プリントした画像をここにドラッグしてください」というメッセージを表示する。ユーザがウィンドウ４０４、４０５又は４０６を吹き出しウィンドウ２００Ｊ又はアンテナシールＡＳ１の近傍にドラッグしドロップすると、メインプロセッサ１１はドラッグされた画像データを、ケーブル５００を介してプリンタ２Ｊに出力して印刷する。従って、ユーザは、従来技術に比較して容易に画像データをプリントできる。
【００４６】
本実施形態において、メインプロセッサ１１は、アンテナＡ１〜Ａ１０のうち、周辺機器２Ａ〜２ＪのアンテナＡ２１及び／又はＡ２２に接続されたアンテナの位置を、周辺機器２Ａ〜２Ｊの接続位置として取得したが、本開示はこれに限られず、メインプロセッサ１１は、周辺機器２Ａ〜２Ｊの接続位置を検出する検出手段によって検出された周辺機器の位置を、当該周辺機器の接続位置として取得してもよい。図１７は、本開示の第１の実施形態の変形例に係る情報処理端末装置１による記録メディア２Ｂの接続位置の検出方法を示す平面図である。図１７において、メインプロセッサ１１は、撮像素子１９を用いて記録メディア２Ｂを撮影し、撮影された画像データに基づいて記録メディア２Ｂの接続位置を検出する。また、メインプロセッサ１１は、タッチパネル３２におけるタッチ位置を検出するタッチセンサ１６からの検出信号を用いて、周辺機器２Ａ〜２Ｊの接続位置を検出してもよい。
【００４７】
第２の実施形態．
図１８は、図２のメインプロセッサ１１によって実行される本開示の第２の実施形態に係るデータコピー処理を示すフローチャートである。まず始めに、ステップＳ１１において、メインプロセッサ１１は、記録メディア２Ａが情報処理端末装置１に近づき、情報処理端末装置１と記録メディア２Ａとの間で近接無線通信が可能になったか否かを判断する。そして、ステップＳ１１においてＹＥＳのときはステップＳ１２に進む一方、ＮＯのときはステップＳ１１の処理を繰り返して実行する。ステップＳ１２において、メインプロセッサ１１は、情報処理端末装置１と記録メディア２Ａとの間で近接無線通信を確立する。次に、ステップＳ１４において、メインプロセッサ１１は、アンテナＡ１〜Ａ１０のうち、記録メディア２ＡのアンテナＡ２１に無線接続されたアンテナの位置を、記録メディア２Ａの接続位置として取得する。なお、ステップＳ１１〜Ｓ１３における各処理は、図４のステップＳ１〜Ｓ３における各処理と同様である。
【００４８】
ステップＳ１３に続いて、ステップＳ１４において、メインプロセッサ１１は、液晶パネル３１に、記録メディア２Ａ内のデータのファイル名のリストを表示しかつアンテナＡ１〜Ａ１０のうちの一部のアンテナを含む吹き出しウィンドウ２００Ａを、記録メディア２Ａの接続位置の近傍の位置から表示する。図１９は、図１８のステップＳ１４において液晶パネル３１に表示される吹き出しウィンドウ２００Ａの一例を示す平面図である。図１９において、記録メディア２ＡのアンテナＡ２１は、アンテナＡ５に対向している。また、記録メディア２Ａの接続位置であるアンテナＡ５の位置から、アンテナＡ３，Ａ４，Ａ８及びＡ９を含み、アンテナＡ１，Ａ２，Ａ６，Ａ７及びＡ１０を含まない吹き出しウィンドウ２００Ａが表示されている。さらに、記録メディア２Ａにデータが格納されていないことを示す「ブランクメディアです。」というテキストメッセージが吹き出しウィンドウ２００Ａ内に表示されている。
【００４９】
ステップＳ１４に続いて、ステップＳ１５において、メインプロセッサ１１は、記録メディア２Ｂが情報処理端末装置１に近づき、情報処理端末装置１と記録メディア２Ｂとの間で近接無線通信が可能になったか否かを判断する。そして、ステップＳ１５においてＹＥＳのときはステップＳ１６に進む一方、ＮＯのときはステップＳ１５の処理を繰り返して実行する。メインプロセッサ１１は、ステップＳ１６において、情報処理端末装置１と記録メディア２Ｂとの間で近接無線通信を確立し、ステップＳ１７において、アンテナＡ１〜Ａ１０のうち、記録メディア２ＢのアンテナＡ２１に無線接続されたアンテナの位置を、記録メディア２Ｂの接続位置として取得する。なお、ステップＳ１５〜Ｓ１７における各処理は、ステップＳ１１〜Ｓ１３における各処理と同様である。
【００５０】
ステップＳ１６に続いて、ステップＳ１７において、メインプロセッサ１１は、記録メディア２Ｂの接続位置が吹き出しウィンドウ２００Ａ内か否かを判断し、ＹＥＳのときはステップＳ２１に進む一方、ＮＯのときはステップＳ１９に進む。ステップＳ１９において、メインプロセッサ１１は、液晶パネル３１に、記録メディア２Ｂ内のデータのファイル名のリストを吹き出し表示する吹き出しウィンドウ２００Ｂを、記録メディア２Ｂの接続位置の近傍の位置から表示する。図２０は、図１８のステップＳ１９において液晶パネル３１に表示される吹き出しウィンドウ２００Ｂの一例を示す平面図である。図２０において、記録メディア２ＢのアンテナＡ２１は、アンテナＡ１に対向している。また、記録メディア２Ｂの接続位置であるアンテナＡ１の位置から、吹き出しウィンドウ２００Ｂが表示されている。さらに、記録メディア２Ｂ内には「動画１」〜「動画５」というファイル名のデータが格納されているので、吹き出しウィンドウ２００Ｂ内には、「動画１」〜「動画５」のリストが表示されている。図２０において、吹き出しウィンドウ２００Ｂ内に表示されたファイル名を吹き出しウィンドウ２００Ａ内にドラッグしドロップすると、メインプロセッサ１１は、当該ファイル名のデータを記録メディア２Ａの不揮発メモリ２２にコピーする。
【００５１】
ステップＳ１９に続いて、ステップＳ２０において、メインプロセッサ１１は、記録メディア２Ｂの接続位置が吹き出しウィンドウ２００Ａ内に変化したか否かを判断し、ＹＥＳのときはステップＳ２１に進む一方、ＮＯのときはステップＳ２０の処理を繰り返して実行する。ステップＳ２１において、メインプロセッサ１１は、吹き出しウィンドウ２００Ａ内にテキストメッセージ２０１を表示し、記録メディア２Ｂ内のデータを記録メディア２Ａにコピーし、データコピー処理を終了する。図２１は、図１８のステップＳ２１において液晶パネル３１に表示されるテキストメッセージ２０１の一例を示す平面図である。図２１において、記録メディア２ＢのアンテナＡ２１は、アンテナＡ４に対向している。また、吹き出しウィンドウ２００Ａ内に、「ＵＳＢメモリのデータをメモリカードへコピーします。」という、記録メディア２Ｂ内のデータを記録メディア２Ａにコピーすることを示すテキストメッセージ２０１が表示されている。
【００５２】
以上説明したように、本実施形態によれば、情報処理端末装置１に先に無線接続された記録メディア２Ａの吹き出しウィンドウ２００Ａ内に記録メディア２Ｂが置かれると、記録メディア２Ｂ内のデータは記録メディア２Ａに自動的にコピーされる。従って、本実施形態によれば、ユーザは、記録メディア２Ａ及び２Ｂを、従来技術に比較して直感的に操作でき、従来技術に比較してユーザの操作性を向上できる。
【００５３】
第３の実施形態．
図２２は、図２のメインプロセッサ１１によって実行される本開示の第３の実施形態に係るデータコピー処理を示すフローチャートである。図２２のデータコピー処理は、図１８のデータコピー処理に比較して、ステップＳ１４の処理をステップＳ１４Ａの処理に置き換え、ステップＳ１８〜ステップＳ２１の処理をステップＳ３０〜ステップＳ３４の処理に置き換えたものである。以下、図１８のデータコピー処理との間の相違点のみを説明する。
【００５４】
ステップＳ１４Ａにおいて、メインプロセッサ１１は、液晶パネル３１に、記録メディア２Ａ内のデータのファイル名のリストを吹き出し表示する吹き出しウィンドウ２００Ａを、記録メディア２Ａの接続位置の近傍の位置から表示する。また、ステップＳ１７に続いて、ステップＳ３０において、メインプロセッサ１１は、記録メディア２ＢのアンテナＡ２１に無線接続されたアンテナは、記録メディア２ＡのアンテナＡ２１に無線接続されたアンテナに隣接しているか否かを判断する。そして、ステップＳ３０においてＹＥＳのときはステップＳ３１に進む一方、ＮＯのときはステップＳ３４に進み、液晶パネル３１に、記録メディア２Ｂ内のデータのファイル名のリストを吹き出し表示する吹き出しウィンドウ２００Ｂを、記録メディア２Ｂの接続位置の近傍の位置から表示してデータコピー処理を終了する。
【００５５】
ステップＳ３１において、メインプロセッサ１１は、吹き出しウィンドウ２００Ａにテキストメッセージ２０２及びボタン２０３及び２０４を表示する。図２３は、図２２のステップＳ３１において液晶パネル３１に表示されるテキストメッセージ２０２並びにボタン２０３及び２０４の一例を示す平面図である。図２３において、先に情報処理端末装置１に無線接続された記録メディア２ＡのアンテナＡ２１は、アンテナＡ５に対向している。また、記録メディア２Ｂは、記録メディア２ＢのアンテナＡ２１がアンテナＡ４に対向するように設置されている。従って、記録メディア２ＢのアンテナＡ２１に無線接続されたアンテナＡ４は、記録メディア２ＡのアンテナＡ２１に無線接続されたアンテナＡ５に隣接しているので、ステップＳ３０においてＹＥＳと判断される。このため、吹き出しウィンドウ２００Ａ内に、「ＵＳＢメモリのデータをメモリカードへコピーしますか？」というテキストメッセージ２０２と、「はい」というボタン２０３と、「いいえ」というボタン２０３とが表示される。
【００５６】
ステップＳ３１に続いて、ステップＳ３２において、ユーザが所定のコピー指示を行ったか否かが判断され、ＹＥＳのときはステップＳ３３に進む一方、ＮＯのときはステップＳ３４に進む。具体的には、ユーザが図２３のボタン２０３をタップすると、ステップＳ３１においてＹＥＳと判断される。ステップＳ３３において、メインプロセッサ１１は、記録メディア２Ｂ内のデータを記録メディア２Ａにコピーして、データコピー処理を終了する。
【００５７】
以上説明したように、本実施形態によれば、情報処理端末装置１に先に無線接続された記録メディア２Ａの接続位置に隣接する接続位置に記録メディア２Ｂが無線接続されると、記録メディア２Ｂ内のデータを記録メディア２Ａにコピーできる。従って、本実施形態によれば、ユーザは、記録メディア２Ａ及び２Ｂを、従来技術に比較して直感的に操作でき、従来技術に比較してユーザの操作性を向上できる。
【００５８】
なお、図２２において、ステップＳ３０においてＹＥＳのとき、ステップＳ３１及びＳ３２の処理を行うことなく、ステップＳ３３の処理を実行してもよい。
【００５９】
また、本実施形態において、図２３に示すように、吹き出しウィンドウ２００Ａ内にテキストメッセージ２０２並びにボタン２０３及び２０４を表示したが、本開示はこれに限られない。図２４は、図２２のステップＳ３１において液晶パネル３１に表示されるテキストメッセージ２０２並びにボタン２０３及び２０４の他の例を示す平面図である。図２４に示すように、吹き出しウィンドウ２００Ａに代えて、記録メディア２Ａ及び２Ｂの各接続位置の近傍の位置から１つの吹き出しウィンドウ３００を表示し、吹き出しウィンドウ３００内にキストメッセージ２０２並びにボタン２０３及び２０４を表示してもよい。これにより、図２３に比較して、ユーザにとって、データコピー処理に関連する機器を視覚的に認識しやすくなるので、記録メディア２Ａ及び２Ｂの誤使用を防止できる。
【００６０】
第４の実施形態．
図２５は、図２のメインプロセッサ１１によって実行される本開示の第４の実施形態に係るデータコピー処理を示すフローチャートである。図２５のデータコピー処理は、図２２のデータコピー処理に比較して、ステップＳ３０〜Ｓ３２の各処理を、ステップＳ４０〜Ｓ４１の各処理に置き換えたものである。以下、図２２のデータコピー処理との間の相違点のみを説明する。
【００６１】
ステップＳ１７に続いてステップＳ４０において、メインプロセッサ１１は、吹き出しウィンドウ３０１及び矢印３０２を表示する。図２６は、図２５のステップＳ４０において液晶パネル３１に表示される吹き出しウィンドウ３０１及び矢印３０２の一例を示す平面図である。図２６において、記録メディア２ＡのアンテナＡ２１はアンテナＡ５に対向し、記録メディア２ＢのアンテナＡ２１はアンテナＡ１に対向している。また、矢印３０２は、コピー元の記録メディア２Ｂの接続位置の近傍の位置から、コピー先の記録メディア２Ａの接続位置に向けて表示されている。さらに、吹き出しウィンドウ３０１は、矢印３０２の中止から表示され、吹き出しウィンドウ３０１内に、図２３と同様のテキストメッセージ２０２並びにボタン２０３及び２０４が表示されている。
【００６２】
図２５のステップＳ４０に続いて、ステップＳ４１において、ユーザが所定のコピー指示を行ったか否かが判断され、ＹＥＳのときはステップＳ３３に進む一方、ＮＯのときはステップＳ３４に進む。具体的には、ユーザが図２６のボタン２０３をタップすると、ステップＳ４１においてＹＥＳと判断される。
【００６３】
以上説明したように、本実施形態によれば、情報処理端末装置１に先に無線接続された記録メディア２Ａに、後に無線接続された記録メディア２Ｂのデータを自動的にコピーできる。従って、本実施形態によれば、ユーザは、記録メディア２Ａ及び２Ｂを、従来技術に比較して直感的に操作でき、従来技術に比較してユーザの操作性を向上できる。
【００６４】
なお、第２〜第４の実施形態において、２つの記録メディア２Ａ及び２Ｂ間のデータコピー処理を説明したが、本開示はこれに限られない。周辺機器２Ａ〜２Ｊのうちの任意の２つの周辺機器間でデータコピー処理を行ってもよい。例えば、図１６のプリンタ２Ｊがケーブル５００及びアンテナシールＡＳ１を介して、情報処理端末装置１に先に無線接続された記録メディア２Ａの吹き出しウィンドウ２００Ａ内のアンテナに無線接続されたとき、記録メディア２Ａ内の全てのデータを、プリンタ２Ｊに出力して印刷するように制御してもよい。
【００６５】
また、第２〜第４の実施形態において、記録メディア２Ａ及び２Ｂのうち、後から情報処理端末装置１に接続された記録メディア２Ｂをコピー元の記録メディアに設定し、先に情報処理端末装置１に接続された記録メディア２Ａをコピー先の記録メディアに設定したが、本開示はこれに限られない。例えば、記録メディア２Ａ及び２Ｂのうち、ユーザがスライドさせた記録メディアをコピー元の記録メディアに設定してもよい。
【００６６】
また、上記各実施形態において、アンテナＡ１〜Ａ１１、Ａ２１〜Ａ２２は、送受信用のアンテナコイルであったが、本開示はこれに限られず、送信用のアンテナコイルと受信用のアンテナコイルとを別に設けてもよい。
【００６７】
さらに、上記各実施形態において、周辺機器２Ａ〜２Ｊは情報処理端末装置１に無線接続されたが、本開示はこれに限られない。周辺機器２Ａ〜２Ｊは情報処理端末装置１に有線接続されてもよい。この場合、情報処理端末装置１の接続コネクタの位置を、周辺機器２Ａ〜２Ｊの接続位置として用いればよい。
【００６８】
またさらに、上記各実施形態において、吹き出しウィンドウ２００Ａ〜２００Ｊを、周辺機器２Ａ〜２Ｊの接続位置の近傍の位置から表示したが、本開示はこれに限られず、周辺機器２Ａ〜２Ｊの接続位置から表示してもよい。
【００６９】
また、メインプロセッサ１１は、情報処理端末装置１の複数の所定の接続位置に複数の周辺機器がそれぞれ接続されたとき、複数の周辺機器の種別、接続位置及び接続順序のうちの少なくとも１つに基づいて、各周辺機器の吹き出しウィンドウの表示方法を変更してもよい。ここで、周辺機器の種別は、例えば、記録メディア、カメラ、スピーカ、キーボード、ＨＤＭＩ（登録商標）コネクタ、ＤＳＵＢコネクタ、無線ＬＡＮアダプタ又はプリンタである。
【００７０】
さらに、メインプロセッサ１１は、情報処理端末装置１の複数の所定の接続位置に複数の周辺機器がそれぞれ接続されたとき、複数の周辺機器の種別、接続位置及び接続順序のうちの少なくとも１つに基づいて、所定の処理を実行してもよい。
【００７１】
またさらに、上記各実施形態において、吹き出しウィンドウ２００Ｂは図５に図示するように表示されたが、本開示はこれに限らない。例えば図２７Ａ、図２７Ｂ、図２７Ｃ、図２７Ｄ、図２７Ｅ、及び図２７Ｆなどに図示するように、吹き出しウィンドウ２００Ｂが表示されてもよい。すなわち、吹き出しウィンドウ２００Ｂは、ＵＳＢメモリなどの記録メディア２Ｂとの関連性を有するように吹き出せば、どのような形状でどこの位置から吹き出てもよい。例えば図２７Ｄに図示するように、吹き出しウィンドウ２００Ｂが記録メディア２Ｂと一部重なるように吹き出してもよい。また、図２７Ｅに図示するように、吹き出しウィンドウ２００Ｂは記録メディア２Ｂのエッジと隣接するように吹き出してもよい。さらに、図２７Ｆに図示するように、吹き出しウィンドウ２００Ｂは記録メデイア２Ｂの角と吹き出しウィンドウ２００Ｂの角とが重なるように吹き出してもよい。なお、上述した変形例では、記録メディア２Ｂから吹き出す吹き出しウィンドウ２００Ｂについて説明したが、記録メディア２Ａから吹き出す吹き出しウィンドウ２００Ａについても同様の変形が可能である。
【００７２】
また、上記各実施形態において、吹き出しウィンドウ２００Ｂは、図５に図示するように、記録メディア２Ｂの接続位置の近傍の位置から吹き出る。ここで、「近傍」とは、図２８Ａに図示するように、記録メディア２Ｂの接続位置から数ｃｍ以内の範囲内のことをいう。さらに、吹き出しウィンドウ２００Ｂは、図２８Ｂに図示するように、記録メディア２Ｂの接続位置の近傍以外の位置から吹き出てもよい。例えば、吹き出しの方向が矢印６００で示すようにＵＳＢメモリなどの記録メディア２Ｂ側に向いており、かつ吹き出しウィンドウ２００Ｂと記録メディア２Ｂとの間に他の接続物がない場合などが相当する。ここで、吹き出しウィンドウ２００Ｂを例に説明したが、吹き出しウィンドウ２００Ａについても同様である。なお、吹き出しウィンドウ２００Ａ及び２００Ｂが吹き出す位置を説明する際に使用される「近傍」以外の「近傍」の定義は、重ね合わせる実物の物体に対して接触する位置から数ｃｍ以内とする。
【００７３】
さらに、上記各実施形態において、吹き出しウィンドウ２００Ａは、図５に図示するように、アンテナＡ５とアンテナＡ２１とが重なったときに記録メディア２Ａの近傍から吹き出すが、本開示はこれに限らない。例えば、図２９Ａに図示するように、アンテナＡ５とアンテナＡ２１とが一部重なると情報処理端末装置１のアンテナＡ５から吹き出しウィンドウ２００Ａが吹き出してもよい。また、図２９Ｂに図示するように、情報処理端末装置１上に置かれた記録メディア２Ａの大きさを考慮して吹き出しウィンドウ２００Ａが吹き出す位置が決定されてもよい。さらに、図２９Ｃに図示するように、クリップ状で情報処理端末装置１のエッジに挟み込むタイプの記録メディア２Ｋの場合には、情報処理端末装置１のコネクタに対応する部分に当該記録メディア２ＫのアンテナＡ２１が位置し、吹き出しウィンドウ２００Ｋが記録メディア２Ｋから吹き出るようにしてもよい。
【００７４】
以上説明したように、第１の態様に係る情報処理端末装置は、所定の情報を表示する表示手段を備えた情報処理端末装置において、上記情報処理端末装置の所定の接続位置に周辺機器が接続されたとき、上記周辺機器と関連付けて表示するウィンドウを、上記表示手段に表示するように制御する制御手段を備えたことを特徴とする。
【００７５】
従って、ユーザは、情報処理端末装置に接続された周辺機器を従来技術に比較して直感的に操作できる。
【００７６】
第２の態様に係る情報処理端末装置は、第１の態様に係る情報処理端末装置において、上記ウィンドウは、上記表示手段における上記接続位置又はその近傍の位置から吹き出し表示することを特徴とする。
【００７７】
第３の態様に係る情報処理端末装置は、第１又は第２の態様に係る情報処理端末装置において、上記ウィンドウは、上記周辺機器と一部重ねて表示するか、もしくは上記周辺機器と接触して表示することを特徴とする。
【００７８】
第４の態様に係る情報処理端末装置は、第１から第３までの態様のうちのいずれか１つの態様に係る情報処理端末装置において、上記制御手段は、上記吹き出しウィンドウ内に、上記周辺機器に関連する情報を表示することを特徴とする。
【００７９】
従って、ユーザは、周辺機器内に格納されたデータなどの周辺機器に関連する情報を、吹き出しウィンドウにより認識できる。
【００８０】
第５の態様に係る情報処理端末装置は、第１から第４までの態様のうちのいずれか１つの態様に係る情報処理端末装置において、上記情報処理端末装置は、上記表示手段のおもて面に透明導電膜によって形成された少なくとも１つの第１のアンテナをさらに備え、上記周辺機器は第２のアンテナを備え、上記制御手段は、上記第２のアンテナが、上記少なくとも１つの第１のアンテナのうちの１つのアンテナに対向して上記周辺機器が上記情報処理端末装置に無線接続されたとき、上記１つのアンテナの位置を上記接続位置として取得することを特徴とする。
【００８１】
従って、ユーザは、第１及び第２のアンテナが互いに対向するように周辺機器を表示手段上に置くだけで、周辺機器を情報処理端末装置に無線接続できる。
【００８２】
第６の態様に係る情報処理端末装置は、第１から第４までの態様のうちのいずれか１つの態様に係る情報処理端末装置において、上記情報処理端末装置は、上記周辺機器の位置を検出する検出手段をさらに備え、上記制御手段は、上記検出手段によって検出された上記周辺機器の位置を、上記接続位置として取得することを特徴とする。
【００８３】
従って、制御手段は、撮像素子などの検出手段を用いて周辺機器の接続位置を取得できる。
【００８４】
第７の態様に係る情報処理端末装置は、第１から第６までの態様のうちのいずれか１つの態様に係る情報処理端末装置において、上記制御手段は、上記情報処理端末装置の複数の所定の接続位置に複数の周辺機器がそれぞれ接続されたとき、上記複数の周辺機器の種別、接続位置及び接続順序のうちの少なくとも１つに基づいて、上記各周辺機器と関連付けて表示するウィンドウの表示方法を変更することを特徴とする。
【００８５】
従って、周辺機器の操作性を向上できる。
【００８６】
第８の態様に係る情報処理端末装置は、第１から第７までの態様のうちのいずれか１つの態様に係る情報処理端末装置において、上記制御手段は、上記情報処理端末装置の複数の所定の接続位置に複数の周辺機器がそれぞれ接続されたとき、上記複数の周辺機器の種別、接続位置及び接続順序のうちの少なくとも１つに基づいて、所定の処理を実行することを特徴とする。
【００８７】
従って、周辺機器の操作性を向上できる。
【００８８】
第９の態様に係る情報処理端末装置の制御方法は、所定の情報を表示する表示手段を備えた情報処理端末装置の制御手段によって実行される制御方法において、上記情報処理端末装置の所定の接続位置に周辺機器が接続されたとき、上記周辺機器と関連付けて表示するウィンドウを、上記表示手段に表示するように制御するステップを含むことを特徴とする。
【００８９】
従って、ユーザは、情報処理端末装置に接続された周辺機器を従来技術に比較して直感的に操作できる。
【００９０】
第１０の態様に係るプログラムは、第９の態様に係る情報処理端末装置の制御方法における各ステップを含むことを特徴とする。
【００９１】
従って、ユーザは、情報処理端末装置に接続された周辺機器を従来技術に比較して直感的に操作できる。
【産業上の利用可能性】
【００９２】
以上説明したように、情報処理端末装置の所定の接続位置に周辺機器が接続されたとき、表示手段における接続位置又はその近傍の位置から、吹き出し表示する吹き出しウィンドウを、表示手段に表示するので、ユーザは、情報処理端末装置に接続された周辺機器を従来技術に比較して直感的に操作できる。
【符号の説明】
【００９３】
１…情報処理端末装置、
２Ａ，２Ｂ，２Ｋ…記録メディア、
２Ｃ，２Ｄ…カメラ、
２Ｅ…スピーカ、
２Ｆ…キーボード、
２Ｇ…ＨＤＭＩ（登録商標）コネクタ、
２Ｈ…ＤＳＵＢコネクタ、
２Ｉ…無線ＬＡＮアダプタ、
２Ｊ…プリンタ、
２００Ａ〜２００Ｋ…吹き出しウィンドウ、
Ａ１〜Ａ１１，Ａ２１，Ａ２２…アンテナ、
ＡＳ１，ＡＳ２…アンテナシール。
【図１】
2014073137.tif 000003
【図２】
2014073137.tif 000004
【図３】
2014073137.tif 000005
【図４】
2014073137.tif 000006
【図５】
2014073137.tif 000007
【図６】
2014073137.tif 000008
【図７】
2014073137.tif 000009
【図８】
2014073137.tif 000010
【図９】
2014073137.tif 000011
【図１０】
2014073137.tif 000012
【図１１】
2014073137.tif 000013
【図１２】
2014073137.tif 000014
【図１３】
2014073137.tif 000015
【図１４】
2014073137.tif 000016
【図１５】
2014073137.tif 000017
【図１６】
2014073137.tif 000018
【図１７】
2014073137.tif 000019
【図１８】
2014073137.tif 000020
【図１９】
2014073137.tif 000021
【図２０】
2014073137.tif 000022
【図２１】
2014073137.tif 000023
【図２２】
2014073137.tif 000024
【図２３】
2014073137.tif 000025
【図２４】
2014073137.tif 000026
【図２５】
2014073137.tif 000027
【図２６】
2014073137.tif 000028
【図２７Ａ】
2014073137.tif 000029
【図２７Ｂ】
2014073137.tif 000030
【図２７Ｃ】
2014073137.tif 000031
【図２７Ｄ】
2014073137.tif 000032
【図２７Ｅ】
2014073137.tif 000033
【図２７Ｆ】
2014073137.tif 000034
【図２８Ａ】
2014073137.tif 000035
【図２８Ｂ】
2014073137.tif 000036
【図２９Ａ】
2014073137.tif 000037
【図２９Ｂ】
2014073137.tif 000038
【図２９Ｃ】
2014073137.tif 000039
【手続補正書】
【提出日】平成26年2月5日(2014.2.5)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
（削除）
【請求項１１】
所定の情報を表示する表示手段と、近接無線通信手段とを備えた情報処理端末装置において、
上記表示手段上に置かれた周辺機器が、近接無線通信で、上記情報処理端末装置の所定の接続位置に接続されたとき、上記周辺機器と関連付けて表示するウィンドウを、上記表示手段上での上記周辺機器が置かれた位置に表示するように制御する制御手段を備えたことを特徴とする情報処理端末装置。
【請求項１２】
上記ウィンドウは、上記表示手段における上記接続位置又はその近傍の位置から吹き出し表示することを特徴とする請求項１１記載の情報処理端末装置。
【請求項１３】
上記情報処理端末装置は、上記表示手段のおもて面に透明導電膜によって形成された少なくとも１つの第１のアンテナをさらに備え、
上記周辺機器は第２のアンテナを備え、
上記制御手段は、
上記第２のアンテナが、上記少なくとも１つの第１のアンテナのうちの１つのアンテナに対向して上記周辺機器が上記情報処理端末装置に近接無線接続されたとき、上記１つのアンテナの位置を上記接続位置として取得することを特徴とする請求項１１または１２記載の情報処理端末装置。
【請求項１４】
上記制御手段は、上記ウィンドウ内に、上記周辺機器に格納されたデータに関する情報、上記周辺機器の動作状態、上記周辺機器からの入力データ、または上記周辺機器に対する操作インタフェースを表示することを特徴とする請求項１１から１３までのうちのいずれか１つに記載の情報処理端末装置。
【請求項１５】
上記制御手段は、上記情報処理端末装置の複数の所定の接続位置に複数の周辺機器がそれぞれ接続されたとき、上記複数の周辺機器の種別、接続位置及び接続順序のうちの少なくとも１つに基づいて、上記各周辺機器と関連付けて表示するウィンドウの表示方法を変更することを特徴とする請求項１１から１４までのうちのいずれか１つに記載の情報処理端末装置。
【請求項１６】
上記制御手段は、上記情報処理端末装置の複数の所定の接続位置に複数の周辺機器がそれぞれ接続されたとき、上記複数の周辺機器の種別、接続位置及び接続順序のうちの少なくとも１つに基づいて、所定の処理を実行することを特徴とする請求項１１から１５までのうちのいずれか１つに記載の情報処理端末装置。
【請求項１７】
上記ウィンドウは、上記周辺機器と一部重ねて表示するか、もしくは上記周辺機器と接触して表示することを特徴とする請求項１１から１６のうちのいずれか１つに記載の情報処理端末装置。
【請求項１８】
所定の情報を表示する表示手段と、近接無線通信手段とを備えた情報処理端末装置の制御手段によって実行される制御方法において、
上記表示手段上に置かれた周辺機器が、近接無線通信で、上記情報処理端末装置の所定の接続位置に接続されたとき、上記周辺機器と関連付けて表示するウィンドウを、上記表示手段上での上記周辺機器が置かれた位置に表示するように制御するステップを含むことを特徴とする情報処理端末装置の制御方法。
【請求項１９】
請求項１８記載の情報処理端末装置の制御方法における各ステップを含むことを特徴とするプログラム。
【手続補正書】
【提出日】平成26年3月24日(2014.3.24)
【手続補正１】
【補正対象書類名】明細書
【補正対象項目名】０００５
【補正方法】変更
【補正の内容】
【０００５】
ディスプレイに表示されるアイコンと、マウス又はタッチパネルなどの入力装置とをあわせて用いるグラフィックユーザインタフェース以外にも、物理的なタイル又はタグを利用するタンジブルユーザインタフェースのような新しいインタフェースが提案されている（特許文献１及び２参照。）。例えば、特許文献１には、複数のタイルを情報処理端末装置のディスプレイ上に配置して情報処理端末装置を操作する方法が記載されている。例えば、ディスプレイ上にプリンタを表すタイルを配置し、そのタイルの隣に画像データを表すタイルを配置し、ユーザが画像データを表すタイルを、プリンタを表すタイルに向けて移動すると画像データをプリンタで印刷する。このように、グラフィックユーザインタフェースに物理的なタイル又はタグを組み合わせたタンジブルユーザインタフェースは、従来技術に係るグラフィックユーザインタフェースよりも直感的に操作ができるという利点を有する。
【手続補正２】
【補正対象書類名】明細書
【補正対象項目名】００１２
【補正方法】変更
【補正の内容】
【００１２】
【図１】本開示の第１の実施形態に係る情報処理端末装置１と、記録メディア２Ａ及び２Ｂとを示す平面図である。
【図２】図１の情報処理端末装置１並びに記録メディア２Ａ及び２Ｂの各構成を示すブロック図である。
【図３】図１のアンテナＡ１を横切る部分断面図である。
【図４】図２のメインプロセッサ１１によって実行される吹き出しウィンドウ表示処理を示すフローチャートである。
【図５】図１の情報処理端末装置１に記録メディア２Ａ及び２Ｂが無線接続されたときに液晶パネル３１に表示される吹き出しウィンドウ２００Ａ及び２００Ｂの第１の例を示す平面図である。
【図６】図１の情報処理端末装置１に記録メディア２Ａ及び２Ｂが無線接続されたときに液晶パネル３１に表示される吹き出しウィンドウ２００Ａ及び２００Ｂの第２の例を示す平面図である。
【図７】図１の情報処理端末装置１に記録メディア２Ａ及び２Ｂが無線接続されたときに液晶パネル３１に表示される吹き出しウィンドウ２００Ａ及び２００Ｂの第３の例を示す平面図である。
【図８】図１の情報処理端末装置１に記録メディア２Ａ及び２Ｂが無線接続されたときに液晶パネル３１に表示される吹き出しウィンドウ２００Ａ及び２００Ｂの第４の例を示す平面図である。
【図９】図１の情報処理端末装置１にカメラ２Ｃが無線接続されたときに液晶パネル３１に表示される吹き出しウィンドウ２００Ｃを示す平面図である。
【図１０】図１の情報処理端末装置１にカメラ２Ｄが無線接続されたときに液晶パネル３１に表示される吹き出しウィンドウ２００Ｄを示す平面図である。
【図１１】図１の情報処理端末装置１にスピーカ２Ｅが無線接続されたときに液晶パネル３１に表示される吹き出しウィンドウ２００Ｅを示す平面図である。
【図１２】図１の情報処理端末装置１にキーボード２Ｆが無線接続されたときに液晶パネル３１に表示される吹き出しウィンドウ２００Ｆを示す平面図である。
【図１３】図１の情報処理端末装置１にＨＤＭＩ（登録商標）コネクタ２Ｇ及びＤＳＵＢコネクタ２Ｈが無線接続されたときに液晶パネル３１に表示される吹き出しウィンドウ２００Ｇ及び２００Ｈを示す平面図である。
【図１４】図１３において情報処理端末装置１内のデータをＨＤＭＩ（登録商標）コネクタ２Ｇから出力するときのユーザのフリック操作を示す平面図である。
【図１５】図１の情報処理端末装置１に無線ＬＡＮアダプタ２Ｉが無線接続されたときに液晶パネル３１に表示される吹き出しウィンドウ２００Ｉを示す平面図である。
【図１６】図１の情報処理端末装置１にプリンタ２Ｊが無線接続されたときに液晶パネル３１に表示される吹き出しウィンドウ２００Ｊを示す平面図である。
【図１７】本開示の第１の実施形態の変形例に係る情報処理端末装置１による記録メディア２Ｂの接続位置の検出方法を示す平面図である。
【図１８】図２のメインプロセッサ１１によって実行される本開示の第２の実施形態に係るデータコピー処理を示すフローチャートである。
【図１９】図１８のステップＳ１４において液晶パネル３１に表示される吹き出しウィンドウ２００Ａの一例を示す平面図である。
【図２０】図１８のステップＳ１９において液晶パネル３１に表示される吹き出しウィンドウ２００Ｂの一例を示す平面図である。
【図２１】図１８のステップＳ２１において液晶パネル３１に表示されるテキストメッセージ２０１の一例を示す平面図である。
【図２２】図２のメインプロセッサ１１によって実行される本開示の第３の実施形態に係るデータコピー処理を示すフローチャートである。
【図２３】図２２のステップＳ３１において液晶パネル３１に表示されるテキストメッセージ２０２並びにボタン２０３及び２０４の一例を示す平面図である。
【図２４】図２２のステップＳ３１において液晶パネル３１に表示されるテキストメッセージ２０２並びにボタン２０３及び２０４の他の例を示す平面図である。
【図２５】図２のメインプロセッサ１１によって実行される本開示の第４の実施形態に係るデータコピー処理を示すフローチャートである。
【図２６】図２５のステップＳ４０において液晶パネル３１に表示される吹き出しウィンドウ３０１及び矢印３０２の一例を示す平面図である。
【図２７Ａ】例えば図５などの吹き出しウィンドウ２００Ｂの吹き出しの別の表示方法を示す平面図である。
【図２７Ｂ】例えば図５などの吹き出しウィンドウ２００Ｂの吹き出しの別の表示方法を示す平面図である。
【図２７Ｃ】例えば図５などの吹き出しウィンドウ２００Ｂの吹き出しの別の表示方法を示す平面図である。
【図２７Ｄ】例えば図５などの吹き出しウィンドウ２００Ｂの吹き出しの別の表示方法を示す平面図である。
【図２７Ｅ】例えば図５などの吹き出しウィンドウ２００Ｂの吹き出しの別の表示方法を示す平面図である。
【図２７Ｆ】例えば図５などの吹き出しウィンドウ２００Ｂの吹き出しの別の表示方法を示す平面図である。
【図２８Ａ】例えば図５などの吹き出しウィンドウ２００Ｂが記録メディア２Ｂの接続位置の近傍の位置から表示するときの当該「近傍」について説明するための平面図である。
【図２８Ｂ】図２８Ａの吹き出しウィンドウ２００Ｂが記録メディア２Ｂの接続位置の近傍以外の位置から吹き出す例を示す平面図である。
【図２９Ａ】図５の吹き出しウィンドウ２００Ａが吹き出す位置について説明するための平面図である。
【図２９Ｂ】図５の吹き出しウィンドウ２００Ａが吹き出す位置について説明するための平面図である。
【図２９Ｃ】図５の吹き出しウィンドウ２００Ａが吹き出す位置について説明するための平面図である。
【手続補正３】
【補正対象書類名】明細書
【補正対象項目名】００４０
【補正方法】変更
【補正の内容】
【００４０】
図１１は、図１の情報処理端末装置１にスピーカ（周辺機器）２Ｅが無線接続されたときに液晶パネル３１に表示される吹き出しウィンドウ２００Ｅを示す平面図である。図１１において、スピーカ２Ｅは、左スピーカに取り付けられた透明のアンテナシールＡＳ１と、右スピーカに取り付けられた透明のアンテナシールＡＳ２とを備えて構成される。また、アンテナシールＡＳ１内にアンテナＡ２１が形成され、アンテナシールＡＳ２内にアンテナＡ２２が形成される。アンテナシールＡＳ１は、アンテナＡ２１がアンテナＡ１に対向するように液晶パネル３１上の保護膜３３（図３参照）に貼り付けられ、アンテナシールＡＳ２は、アンテナＡ２２がアンテナＡ５に対向するように液晶パネル３１上の保護膜３３（図３参照）に貼り付けられる。また、図１１において、メインプロセッサ１１は、スピーカ２Ｅの接続位置であるアンテナＡ１及びＡ５の各位置から、吹き出しウィンドウ２００Ｅを表示する。吹き出しウィンドウ２００Ｅには、スピーカ２Ｅから出力されている音声データの情報が表示される。
【手続補正４】
【補正対象書類名】明細書
【補正対象項目名】００５５
【補正方法】変更
【補正の内容】
【００５５】
ステップＳ３１において、メインプロセッサ１１は、吹き出しウィンドウ２００Ａにテキストメッセージ２０２及びボタン２０３及び２０４を表示する。図２３は、図２２のステップＳ３１において液晶パネル３１に表示されるテキストメッセージ２０２並びにボタン２０３及び２０４の一例を示す平面図である。図２３において、先に情報処理端末装置１に無線接続された記録メディア２ＡのアンテナＡ２１は、アンテナＡ５に対向している。また、記録メディア２Ｂは、記録メディア２ＢのアンテナＡ２１がアンテナＡ４に対向するように設置されている。従って、記録メディア２ＢのアンテナＡ２１に無線接続されたアンテナＡ４は、記録メディア２ＡのアンテナＡ２１に無線接続されたアンテナＡ５に隣接しているので、ステップＳ３０においてＹＥＳと判断される。このため、吹き出しウィンドウ２００Ａ内に、「ＵＳＢメモリのデータをメモリカードへコピーしますか？」というテキストメッセージ２０２と、「はい」というボタン２０３と、「いいえ」というボタン２０４とが表示される。
【手続補正５】
【補正対象書類名】明細書
【補正対象項目名】００５９
【補正方法】変更
【補正の内容】
【００５９】
また、本実施形態において、図２３に示すように、吹き出しウィンドウ２００Ａ内にテキストメッセージ２０２並びにボタン２０３及び２０４を表示したが、本開示はこれに限られない。図２４は、図２２のステップＳ３１において液晶パネル３１に表示されるテキストメッセージ２０２並びにボタン２０３及び２０４の他の例を示す平面図である。図２４に示すように、吹き出しウィンドウ２００Ａに代えて、記録メディア２Ａ及び２Ｂの各接続位置の近傍の位置から１つの吹き出しウィンドウ３００を表示し、吹き出しウィンドウ３００内にテキストメッセージ２０２並びにボタン２０３及び２０４を表示してもよい。これにより、図２３に比較して、ユーザにとって、データコピー処理に関連する機器を視覚的に認識しやすくなるので、記録メディア２Ａ及び２Ｂの誤使用を防止できる。
【手続補正６】
【補正対象書類名】明細書
【補正対象項目名】００６１
【補正方法】変更
【補正の内容】
【００６１】
ステップＳ１７に続いてステップＳ４０において、メインプロセッサ１１は、吹き出しウィンドウ３０１及び矢印３０２を表示する。図２６は、図２５のステップＳ４０において液晶パネル３１に表示される吹き出しウィンドウ３０１及び矢印３０２の一例を示す平面図である。図２６において、記録メディア２ＡのアンテナＡ２１はアンテナＡ５に対向し、記録メディア２ＢのアンテナＡ２１はアンテナＡ１に対向している。また、矢印３０２は、コピー元の記録メディア２Ｂの接続位置の近傍の位置から、コピー先の記録メディア２Ａの接続位置に向けて表示されている。さらに、吹き出しウィンドウ３０１は、矢印３０２の中央部から表示され、吹き出しウィンドウ３０１内に、図２３と同様のテキストメッセージ２０２並びにボタン２０３及び２０４が表示されている。
【手続補正７】
【補正対象書類名】特許請求の範囲
【補正対象項目名】全文
【補正方法】変更
【補正の内容】
【特許請求の範囲】
【請求項１】
所定の情報を表示する表示手段と、近接無線通信手段とを備えた情報処理端末装置において、
上記表示手段上に置かれた周辺機器が、近接無線通信で、上記情報処理端末装置の所定の接続位置に接続されたとき、上記周辺機器と関連付けて表示するウィンドウを、上記表示手段上での上記周辺機器が置かれた位置に表示するように制御する制御手段を備えたことを特徴とする情報処理端末装置。
【請求項２】
上記ウィンドウは、上記表示手段における上記接続位置又はその近傍の位置から吹き出し表示することを特徴とする請求項１記載の情報処理端末装置。
【請求項３】
上記情報処理端末装置は、上記表示手段のおもて面に透明導電膜によって形成された少なくとも１つの第１のアンテナをさらに備え、
上記周辺機器は第２のアンテナを備え、
上記制御手段は、
上記第２のアンテナが、上記少なくとも１つの第１のアンテナのうちの１つのアンテナに対向して上記周辺機器が上記情報処理端末装置に近接無線接続されたとき、上記１つのアンテナの位置を上記接続位置として取得することを特徴とする請求項１または２記載の情報処理端末装置。
【請求項４】
上記制御手段は、上記ウィンドウ内に、上記周辺機器に格納されたデータに関する情報、上記周辺機器の動作状態、上記周辺機器からの入力データ、または上記周辺機器に対する操作インタフェースを表示することを特徴とする請求項１から３までのうちのいずれか１つに記載の情報処理端末装置。
【請求項５】
上記制御手段は、上記情報処理端末装置の複数の所定の接続位置に複数の周辺機器がそれぞれ接続されたとき、上記複数の周辺機器の種別、接続位置及び接続順序のうちの少なくとも１つに基づいて、上記各周辺機器と関連付けて表示するウィンドウの表示方法を変更することを特徴とする請求項１から４までのうちのいずれか１つに記載の情報処理端末装置。
【請求項６】
上記制御手段は、上記情報処理端末装置の複数の所定の接続位置に複数の周辺機器がそれぞれ接続されたとき、上記複数の周辺機器の種別、接続位置及び接続順序のうちの少なくとも１つに基づいて、所定の処理を実行することを特徴とする請求項１から５までのうちのいずれか１つに記載の情報処理端末装置。
【請求項７】
上記ウィンドウは、上記周辺機器と一部重ねて表示するか、もしくは上記周辺機器と接触して表示することを特徴とする請求項１から６のうちのいずれか１つに記載の情報処理端末装置。
【請求項８】
所定の情報を表示する表示手段と、近接無線通信手段とを備えた情報処理端末装置の制御手段によって実行される制御方法において、
上記表示手段上に置かれた周辺機器が、近接無線通信で、上記情報処理端末装置の所定の接続位置に接続されたとき、上記周辺機器と関連付けて表示するウィンドウを、上記表示手段上での上記周辺機器が置かれた位置に表示するように制御するステップを含むことを特徴とする情報処理端末装置の制御方法。
【請求項９】
請求項８記載の情報処理端末装置の制御方法における各ステップを含むことを特徴とするプログラム。
【国際調査報告】
2014073137.tif 000040
2014073137.tif 000041
2014073137.tif 000042
2014073137.tif 000043